(57)【要約】      （修正有）【課題】唾液腺、特に小唾液腺の分泌機能を簡便かつ的確に測定することができる唾液腺分泌機能測定用試験紙を提供する。【解決手段】唾液腺分泌機能検査用試験紙１の外形は、高い吸収性を示す基紙、例えば濾紙２にヨード液が予め含浸せしめられており、その表面には右上方の拡大部３に示すように微細なデンプン微粒子４が多数付着せしめられている。唾液腺分泌機能検査用試験紙１はピンセットないし手指によって下唇内面に所定時間、例えば２〜３分程度にわたり当接（貼付）しておくことにより試験を行うものであるから、一般的には辺の長さ４〜１０ｍｍ程度の長方形、正方形または楕円形等とすることができる。【選択図】図１
0003134962.tif 000002
【実用新案登録請求の範囲】
【請求項１】
予めヨード溶液が含浸されている高吸収性基紙に対してデンプン-メタノール混合撹拌液を付着せしめたことを特徴とする、唾液腺分泌機能検査用試験紙。
【請求項２】
前記ヨード溶液の濃度が１〜１０重量％の範囲であり、前記デンプン-メタノール混合撹拌液がデンプン混合比１０〜５０重量％の範囲であることを特徴とする、請求項１に記載の唾液腺分泌機能検査用試験紙。
【請求項３】
前記高吸収性基紙が濾紙であることを特徴とする、請求項１又は２のいずれかに記載の唾液腺分泌機能検査用試験紙。
【考案の詳細な説明】
【技術分野】
【０００１】
本考案は、口中の唾液腺、特に小唾液腺の分泌機能を簡便かつ的確に測定することができる唾液腺分泌機能測定用試験紙に関する。
【背景技術】
【０００２】
正常な口腔内部は唾液によって適正な湿潤状態に保たれている。しかし、加齢、各種薬剤による副作用、放射線照射による障害などにより唾液腺分泌量が低下した場合、いわゆる口腔乾燥症状（ドライマウス）となることが知られている。唾液腺には、耳下腺、顎下腺および舌下腺からなる大唾液腺と下唇内側の口唇腺である小唾液腺とがあり、健常者の口腔では適量の唾液によって湿潤状態となっている。しかし、唾液の分泌機能が異常に低下すると口腔乾燥症状となり、口腔内の汚染、虫歯の発生、味覚の低下、粘膜防御機能の低下による口内炎の発症等の不都合な症状を招き易くなることが指摘されている。大唾液腺および小唾液腺双方による全唾液腺機能の検査にはガム試験、Ｓａｘｏｎ試験等があり、大唾液腺機能検査にはカテーテル検査、ＲＩ検査等が利用されている。しかしながら、唾液分泌量の少ない小唾液腺検査には上述のような各検査法は適していない。
【０００３】
このような小唾液腺分泌量を測定するための下唇内側における小唾液腺分泌機能診断に関し、非特許文献１は測定原理として、ヨウ素デンプン反応を利用することを提案している。ここではヨード溶液に浸漬した濾紙に対して、デンプン２５ｇに対してヒマシ油７５ｍｌを加えることによって得られるデンプン溶液を付着せしめたヨウ素デンプン反応試験紙を使用している。このように形成されたヨウ素デンプン反応試験紙を、被験者の下唇内側の粘膜面に数分間当接して、小唾液腺からの唾液による変色部分の面積を測定することにより小唾液腺の分泌量を測定するものである。実際の変色面積の測定、検証等にはコンピュータを援用し、イメージスキャナによるデジタル画像化、画像処理等を行い、画像解析ソフトウェアＮＩＨ ｉｍａｇｅによって面積測定を行うことを開示している。
【０００４】
しかしながら、ここで使用されるヨウ素デンプン反応試験紙は、ヨード溶液が含浸されている濾紙に対してデンプンを付着させるに際し、デンプン２５ｇに対してヒマシ油７５ｍｌを加えたデンプン溶液に浸漬させている。このような手順を経るのは、仮に水分が存在すると、ヨウ素デンプン反応が生じて変色してしまう可能性があり、試験紙としての機能が損なわれる可能性があり、かつデンプン微粒子の確実な付着を確保するためである。ヒマシ油はトウゴマの種子を絞って得られる無色ないし薄い暗緑色の脂肪油で粘性の不乾性油である。したがって、吸収性の良好な基紙、例えば濾紙に付着した部分は容易に乾燥しないことが報告されていて、テスト例によれば、ヒマシ油に濾紙を浸漬させた後べとつかない状態まで乾燥させるには約７２時間を要しており、かかる試験紙を多く作成する要請には適していない。
【非特許文献１】日口診誌  第１０巻  第２号：２９７〜３０１頁、１９９７、１０月号
【考案の開示】
【考案が解決しようとする課題】
【０００５】
本考案の課題は、唾液腺、特に小唾液腺の分泌機能を簡便かつ的確に測定することができる唾液腺分泌機能測定用試験紙を提供することである。
【課題を解決するための手段】
【０００６】
請求項１に記載の考案は、予めヨード溶液が含浸されている高吸収性基紙に対してデンプン-メタノール混合撹拌液を付着せしめた唾液腺分泌機能検査用試験紙であることを特徴とする。
【０００７】
請求項２に記載の考案は、前記ヨード溶液の濃度が１〜１０重量％の範囲であり、前記デンプン-メタノール混合撹拌液がデンプン混合比１０〜５０重量％の範囲である唾液腺分泌機能検査用試験紙であることを特徴とする。
【０００８】
請求項３に記載の考案は、前記高吸収性基紙が濾紙であることを特徴とする唾液腺分泌機能検査用試験紙である。
【考案の効果】
【０００９】
本考案にかかる唾液腺分泌機能検査用試験紙は、予めヨード液が含浸せしめられている高吸収性の基紙、例えば濾紙に対して、所要量のデンプンをメタノールに混合せしめたデンプン-メタノール混合撹拌液を付着せしめている。メタノールは低粘性で揮発しやすいものであり、濾紙表面にデンプンを付着せしめ、大部分は短時間で揮発してしまうため、べとつくようなこともない。したがって、ヨウ素デンプン反応の原理を利用する唾液腺分泌機能検査用試験紙を容易に得ることができ、唾液腺、特に下唇内面に存在する小唾液腺の分泌機能の判定が容易に実施可能となる。
【考案を実施するための最良の形態】
【００１０】
以下、添付図を参照しつつ本考案にかかる唾液腺分泌機能検査用試験紙について開示する。図１は、唾液腺分泌機能検査用試験紙１の外形を示すものであり、高い吸収性を示す基紙、例えば濾紙２にヨード液が予め含浸せしめられており、その表面には右上方の拡大部３に示すように微細なデンプン微粒子４が多数付着せしめられている。唾液腺分泌機能検査用試験紙１はピンセットないし手指によって下唇内面に所定時間、例えば２〜３分程度にわたり当接（貼付）しておくことにより試験を行うものであるから、被験者の口腔内の条件、例えば年令、性別等に応じて良好な使用態様が得られるように種々の寸法および形状のものを用意しておくことが望ましい。一般的には辺の長さ４〜１０ｍｍ程度の長方形、正方形または楕円形等とすることができる。
【００１１】
本考案にかかる唾液腺分泌機能検査用試験紙１の製造に当たっては、高い吸収性を示す単位寸法の基紙、例えば濾紙２全体をヨード液に浸漬し、自然乾燥または若干の加熱空気ないし乾燥空気の吹き付け等により十分に乾燥させる。なお、この場合のヨード溶液の濃度は、１〜１０％の範囲で適宜選択可能である。
【００１２】
このように適宜濃度のヨード液が含浸せしめられた基紙、例えば濾紙２に、適量のデンプンをメタノールに混合せしめたデンプン-メタノール混合撹拌液を付着せしめる。この場合のデンプン混合比は、１０〜５０重量％の範囲で適宜選択可能であるが、本実施例では２５重量％程度のものを使用した。このような製造工程において得られたデンプン-メタノール混合撹拌液が付着された濾紙は約１時間程度で乾燥し、べとつかない状態となる。
【００１３】
この場合のデンプン-メタノール混合撹拌液を付着せしめる操作は、デンプン-メタノール混合撹拌液を満たした容器に浸漬する手段、ノズルから噴射されるデンプン-メタノール混合撹拌液ミストを吹き付けまたは噴射する手段、デンプン-メタノール混合撹拌液によって表面が湿潤状態とされている対向ローラー間を通過させる手段、等が利用可能であるが、考案の性質上かかる加工手段には限定されない。このように基紙表面にデンプン-メタノール混合撹拌液を浸漬、塗布、噴射、ローラー塗布等の適宜手段によって被着させると、メタノール成分は短時間で揮発してゆき、デンプン微粒子４が基紙２の表面に付着残留する。
【００１４】
このようにデンプン-メタノール混合撹拌液が表面に付着せしめられたヨード含浸基紙２は、製造工程において得られる単位寸法の方形材であっても良いが、予めテープ状に裁断したものを利用することもできる。また、単位寸法の方形材に対してヨード液含浸処理を施し、乾燥後にテープ状に裁断した後、その両面にデンプン-メタノール混合撹拌液を付着させ、乾燥後仕上がり長さに裁断するようにしても良い。このように両面にデンプン-メタノール混合撹拌液が付着せしめられ、乾燥により湿分が除去された後、所定寸法に裁断される。かかる裁断寸法は、一般患者用のほか、小児用、老齢者用等として若干異なる寸法のものを用意しておくことも可能である。
【００１５】
本考案にかかる唾液腺分泌機能検査用試験紙１による唾液腺分泌機能検査は、下唇内面の適宜部位に対して所定時間、例えば２分程度にわたり軽く当接（押圧）しておく。下唇内面には小唾液腺が分布しているため、当接されている部位に存在する小唾液腺からの唾液分泌に応じて唾液腺分泌機能検査用試験紙１にヨウ素デンプン反応による変色が惹起される。したがって、唾液腺分泌機能検査用試験紙１における変色部位の面積をイメージスキャナ、デジタルカメラ等により電子データに変え、パソコン等の諸装置を援用し解析することにより、小唾液腺の機能の定量的な測定ないし検査を行なうことができる。
【産業上の利用可能性】
【００１６】
本考案にかかる唾液腺分泌機能検査用試験紙は、短時間かつ簡潔な工程によって製造することができる。この唾液腺分泌機能検査用試験紙によれば、従来から適切な測定法が求められていた小唾液腺の分泌機能を、簡易かつ高い精度で測定することができる。この測定に当たっては、本考案にかかる唾液腺分泌機能検査用試験紙を下唇内面に軽く押圧しておくだけ足り、なんらの疼痛や危険を伴うこともない。したがって、一般成人はもとより、小児や高齢者等に対しても口腔内乾燥症状（ドライマウス）に対する適切かつ迅速な診断ないし治療に移行することが可能となる。
【図面の簡単な説明】
【００１７】
【図１】本考案にかかる唾液腺分泌機能検査用試験紙の構造例の部分拡大を含む平面図である。
【符号の説明】
【００１８】
１    唾液腺分泌機能検査用試験紙
２    基紙（濾紙）
３    拡大部
４    デンプン微粒子
【図１】
0003134962.tif 000003